(57)【要約】【課題】アッパー部の足首へのフィット感が十分に得られるブーツライナーを提供することにある。【解決手段】このブーツライナー１は、ソール部１１と、アッパー部１３と、締め付け機構１９とを備えている。締め付け機構１９は、メインストラップ３１を含み、このメインストラップ３１は、第１固定部３２と、１対の可動部３３と、第２固定部３４とを有している。各可動部３３は、第１固定部３２の端部からアッパー部１３の側面に沿って前方に延び、アッパー部１３の前端部２４近傍において靴紐２０が挿通可能な挿通部３３ａが形成されるよう後方に折り返され、後方部２１を通ってアッパー部１３の逆側の側面に先端部３３ｂが延びるとともにアッパー１３部に対し相対移動可能である。また、１対の可動部３３は互いに後方部２１で交差している。【選択図】      図１
2004236971.tif 000002
【特許請求の範囲】
【請求項１】
ソール部と、
前記ソール部の上方に延びて形成され、足首の後方部分を支持する後方部と、前記後方部と一体に形成され足首の側方部分を支持する１対の側方部とを有するアッパー部と、
前記アッパー部に取り付けられ、前記アッパー部が足首にフィットするよう前記アッパー部を締め付けるための締め付け機構とを備え、
前記アッパー部の１対の側方部は、足首の前方で互いに対向する前端部をそれぞれ有し、
前記締め付け機構は、前記アッパー部の後方部に水平方向に延びて固定される第１固定部と、前記第１固定部の両端部から前記アッパー部の側面に沿って前方にそれぞれ延び、前記アッパー部の前端部近傍において紐状部材が挿通可能な挿通部が形成されるよう後方にそれぞれ折り返され、前記後方部を通って前記アッパー部の逆側の側面にそれぞれ先端部が延びるとともに前記アッパー部に対し相対移動可能な１対の可動部と、前記可動部の先端部から延びて前記ソール部に固定される第２固定部とを有する主ストラップ部材を含み、前記１対の可動部は互いに前記後方部で交差している、
ブーツライナー。
【請求項２】
前記１対の可動部は、踵の上方に隣接する足首の後方部分で交差している、請求項１に記載のブーツライナー。
【請求項３】
前記アッパー部の後方部に上下方向に延びて設けられ、前記主ストラップ部材の第１固定部を前記後方部に対し相対移動不能に拘束する拘束部と、前記主ストラップ部材の可動部を前記アッパー部に対し相対移動可能に解放する解放部とを有する後方支持部をさらに備えた、請求項１または２に記載のブーツライナー。
【請求項４】
前記主ストラップ部材の第１固定部は、前記アッパー部の後方部から前記側方部の水平方向中央部分にかけて固定されている、請求項１から３のいずれかに記載のブーツライナー。
【請求項５】
前記締め付け機構は、前記アッパー部の前端部近傍において、前記主ストラップ部材の挿通部が形成される位置より上方及び下方位置に、前記紐状部材が挿通可能な他の挿通部が形成されるよう前記アッパー部に取り付けられた２つの補助ストラップ部材をさらに含む、請求項１から４のいずれかに記載のブーツライナー。
【請求項６】
前記主ストラップ部材の可動部は、前記主ストラップ部材より下方に位置する前記補助ストラップ部材により前記ソール部の近傍において前記アッパー部に対し相対移動不能に拘束されている、請求項５に記載のブーツライナー。
【請求項７】
前記補助ストラップ部材は、前記アッパー部の前端部近傍を除いて前記アッパー部に取り付けられている、請求項５または６に記載のブーツライナー。
【請求項８】
前記挿通部は、前記前端部より後方に形成される、請求項１から７のいずれかに記載のブーツライナー。
【請求項９】
アウターブーツを有するスノーボードブーツのインナーブーツライナーである、請求項１から８のいずれかに記載のブーツライナー。
【発明の詳細な説明】
【０００１】
【発明の属する技術分野】
本発明は、ブーツライナー、特に、スノーボードブーツのインナーブーツライナーに関する。
【０００２】
【従来の技術】
スキーブーツ、スノーボードブーツ等の防寒用フットウェア製品は、一般に、外側に配置されるアウターブーツと、アウターブーツの内側に配置されるブーツライナー（インナーブーツ）とを備えている。ブーツライナーは、多くの場合、履き手の足に対し保温性、衝撃吸収性、履き心地の良さ等を提供するような形状、材質で構成されている。
【０００３】
ブーツライナーは、一般に、靴底部分を構成するソール部と、ソール部の上方に延びて履き手の足及び足首を覆うよう形成されたアッパー部とを備えている。アッパー部は、足首の後方部分を支持する後方部と、足首の側方部分を支持し、後方部と一体に形成された１対の側方部とを有している。１対の側方部は、前端部同士が離れて配置されており、足首の前方部分にスロットが形成されている。スロットの下端部には、足首の前方部分を支持するための舌部が上方に延びて取り付けられている（例えば、特許文献１参照。）。
【０００４】
従来のこの種のブーツライナーとして、アッパー部の足へのフィット感を高めるための締め付け機構をさらに備えたものがある。締め付け機構は、通常、アッパー部の前端部の近傍に上下方向に間隔をあけて配置された複数対の挿通部を有している。各挿通部は、靴紐等の紐状部材を挿通し得るようループ形状に形成されている（例えば、特許文献２参照。）。
【０００５】
このようなブーツライナーでは、例えば、靴紐の両端部を、同じ上下方向位置にある１対の挿通部にそれぞれ挿通し、前端部同士が接近するよう引っ張りながら交差させ、逆側の前端部の隣接する挿通部に挿通する作業を繰り返した後、結び合わせて互いに固定することにより、アッパー部が履き手の足に密着し、一定のフィット感が得られるようになる。
【０００６】
【特許文献１】
米国特許第５９２４２１８号明細書
【０００７】
【特許文献２】
米国特許第５９３７５４２号明細書
【０００８】
【発明が解決しようとする課題】
上記従来のブーツライナーでは、履き手の足首に締め付けられる際に、アッパー部は、単に前端部同士が互いに接近するよう変形するに過ぎないため、足首に対するフィット感を十分に感じられない場合がある。
本発明の目的は、アッパー部の足首へのフィット感が十分に得られるブーツライナーを提供することにある。
【０００９】
【課題を解決するための手段】
発明１に係るブーツライナーは、ソール部と、アッパー部と、締め付け機構とを備えている。アッパー部は、ソール部の上方に延びて形成され、足首の後方部分を支持する後方部と、後方部と一体に形成され足首の側方部分を支持する１対の側方部とを有する。締め付け機構は、アッパー部に取り付けられ、アッパー部が足首にフィットするようアッパー部を締め付けるための機構である。また、アッパー部の１対の側方部は、足首の前方で互いに対向する前端部をそれぞれ有している。
【００１０】
締め付け機構は、主ストラップ部材を含み、この主ストラップ部材は、第１固定部と、１対の可動部と、第２固定部とを有している。第１固定部は、アッパー部の後方部に水平方向に延びて固定される。１対の可動部は、第１固定部の両端部からアッパー部の側面に沿って前方にそれぞれ延び、アッパー部の前端部近傍において紐状部材が挿通可能な挿通部が形成されるよう後方にそれぞれ折り返され、後方部を通ってアッパー部の逆側の側面にそれぞれ先端部が延びるとともにアッパー部に対し相対移動可能である。第２固定部は、可動部の先端部から延びてソール部に固定される。また、１対の可動部は互いに後方部で交差している。
【００１１】
なお、本発明において、上、下、前、後、側、横、水平、垂直等の方向を表す文言は、ブーツライナーの履き手が自然な姿勢で立った場合の履き手の体を基準とする方向を指す。
このブーツライナーでは、アッパー部を足首に締め付ける場合は、例えば、靴紐等の紐状部材を、１対の挿通部に挿通して前端部同士が接近するよう引っ張る。すると、可動部の折り返された位置が前方に移動して、挿通部は、締め付け作業を行う前よりも前方に移動する。このとき、可動部の挿通部から後方に延びる部分は、挿通部側に引っ張られ、アッパー部の後方部分を変形させる。
【００１２】
アッパー部は、このように変形することにより、履き手の足首に強く押し付けられ、履き手は、単に前端部同士が接近するようアッパー部が変形する場合に比べ、アッパー部の足首へのフィット感をより強く感じることができる。
特に、このブーツライナーでは、１対の可動部がアッパー部の後方で交差していることから、アッパー部の後方部分は、より強く履き手の足首に押し付けられ、これにより、十分なフィット感が得られる。
【００１３】
発明２に係るブーツライナーは、発明１のブーツライナーにおいて、１対の可動部は、踵の上方に隣接する足首の後方部分で交差している。
このブーツライナーでは、アッパー部は、締め付けの際に、後方部が履き手の踵のすぐ上方の部分に押し付けられるよう変形するため、履き手の足に効果的にフィットする。
【００１４】
発明３に係るブーツライナーは、発明１または２のブーツライナーにおいて、後方支持部をさらに備えている。後方支持部は、拘束部と、解放部とを備えている。拘束部は、アッパー部の後方部に上下方向に延びて設けられ、主ストラップ部材の第１固定部を後方部に対し相対移動不能に拘束する。解放部は、主ストラップ部材の可動部をアッパー部に対し相対移動可能に解放する。
【００１５】
このブーツライナーでは、可動部は、後方支持部によって規制されずに自由に動くことができるため、可動部によるアッパー部の締め付け効果が十分に得られる。
発明４に係るブーツライナーは、発明１から３のいずれかのブーツライナーにおいて、主ストラップ部材の第１固定部は、アッパー部の後方部から側方部の水平方向中央部分にかけて固定されている。
【００１６】
このブーツライナーでは、可動部は、側方部の中央部分よりも先端側の部分においてのみアッパー部に対し相対移動可能である。このように可動部の可動範囲が限定されることで、アッパー部は後方部分において局所的に変形することが可能となり、足首の後方部分でのフィット感が強調される。
発明５に係るブーツライナーは、発明１から４のいずれかのブーツライナーにおいて、締め付け機構は、２つの補助ストラップ部材をさらに含んでいる。補助ストラップ部材は、アッパー部の前端部近傍において、主ストラップ部材の挿通部が形成される位置より上方及び下方位置に、紐状部材が挿通可能な他の挿通部が形成されるようアッパー部に取り付けられている。
【００１７】
このブーツライナーでは、補助ストラップ部の挿通部にも紐状部材を挿通できるため、アッパー部を上下方向に広範囲にわたり締め付けることができ、足首に対するフィット感が増す。
発明６に係るブーツライナーは、発明５のブーツライナーにおいて、主ストラップ部材の可動部は、主ストラップ部材より下方に位置する補助ストラップ部材によりソール部の近傍においてアッパー部に対し相対移動不能に拘束されている。
【００１８】
このブーツライナーでは、主ストラップ部材は、補助ストラップ部材によってアッパー部のソール部近傍に拘束されているため、例えば、アウターブーツ内に挿入する際に可動部がよじれたりアウターブーツの内壁によって引っ張られたりする不都合から解放される。
発明７に係るブーツライナーは、発明５または６のブーツライナーにおいて、補助ストラップ部材は、アッパー部の前端部近傍を除いてアッパー部に取り付けられている。
【００１９】
このブーツライナーでは、補助ストラップ部材は、主ストラップ部材のような可動部を持たないことから、締め付けの際は、単に前端部同士が接近するようアッパー部を締め付ける。したがって、ここでは、主ストラップ部材による締め付け効果が相対的に強調され、履き手は、足首の付け根部分における締め付け効果を強く感じることができる。
【００２０】
発明８に係るブーツライナーは、発明１から７のいずれかのブーツライナーにおいて、挿通部は、前端部より後方に形成される。
このブーツライナーでは、アッパー部は、締め付けられる際に、前端部のすぐ後方部分が引っ張られるため、前端部同士を効率よく接近させることができる。
発明９に係るブーツライナーは、発明１から８のいずれかのブーツライナーにおいて、アウターブーツを有するスノーボードブーツのインナーブーツライナーである。
【００２１】
このブーツライナーでは、特に、スノーボードブーツのインナーブーツライナーとして用いられる場合において、履き手に十分なフィット感を与えることができる。
【００２２】
【発明の実施の形態】
図１〜図３に、本発明の一実施形態が採用されたブーツライナー１を示す。
このブーツライナー１は、スノーボードブーツ５のアウターブーツ３の内側に配置されるインナーブーツライナーであって、ソール部１１と、アッパー部１３と、後方支持部１５と、締め付け機構１９とを備えている。アウターブーツ３は、従来と同様のものである。
【００２３】
ソール部１１は、ブーツライナー１の底面部分を構成する部分であって、外周部がアッパー部１３の下端部に縫い付けられ若しくは接着されている。ソール部１１は、所定のクッション性が得られるよう構成されており、好ましくは、アッパー部１３に縫い付けられるアウターソールと、アウターソールの上方に重ねて着脱自在に配置されるインナーソール（共に図示せず）とを有するよう構成される。
【００２４】
アッパー部１３は、ソール部１１の上方に延びて履き手の足及び足首を覆うような形状に形成された部分であり、後方部２１と、１対の側方部２３と、前方部２５と、舌部２７とを有している。後方部２１，側方部２３，前方部２５及び舌部２７はいずれも、十分な保温性、フィット感が得られるような材質、形状で構成されている。
【００２５】
後方部２１は、アッパー部１３の後方部分を構成する部分であり、履き手の足首の後方部分を支持する。
１対の側方部２３は、アッパー部１３の両側の側方部分を構成する部分であり、後方部２１と一体に形成されている。側方部２３は、履き手の足首の側方部分を支持する。また、１対の側方部２３の各前端部２４は、足首の前方で互いに対向して配置されており、前方部２５と共にスロット２６を形成している。スロット２６の下方部分には、舌部２７を履き手の足に押さえ付けるためのゴムバンド２９が横方向に延びて装着されている。
【００２６】
前方部２５は、アッパー部１３の前方部分を構成する部分であり、側方部２３及び後方部２３と一体に形成されている。前方部２５は、履き手の足先を覆うような形状に形成されている。
舌部２７は、他の部分２１，２３，２５とは別体に設けられた部分であり、下端部のみが、スロット２６を形成する前方部２５の部分に縫い付けられている。舌部２７は、履き手の足首の前方部分を支持する。
【００２７】
図２に示すように、後方支持部１５は、後方部２１の表面にソール部１１に対し垂直方向に延びて設けられた帯状部材であり、後方部２１に縫い付けられた拘束部１６，１７と、後方部２１に縫い付けられていない解放部１８とを有している。なお、図１及び図２において、後方支持部１５及びストラップ３１，３７，３８（後述）に示した破線は、ミシン目を表す。
【００２８】
拘束部１６は、後方部２１の上下方向中間部から上方部分にかけて縫い付けられた部分であり、拘束部１７は、後方部２１の下方部分に縫い付けられた部分である。拘束部１６は、ここでは、後方部２１に縫い付けられたメインストラップ３１の第１固定部３２（後述）に重ねて縫い付けられており、アッパー部１３に対して相対移動不能となるよう第１固定部３２を拘束している。
【００２９】
解放部１８は、履き手の踵の上方に隣接する部分（若しくは踝の後方部分）に対応する位置に形成されている。解放部１８は、後方部２１との間に、メインストラップ３１の１対の可動部３３（後述）が互いに交差した状態で配置されており、各可動部３３は後方部２１に対し相対移動可能である。また、１対の可動部３３の交差した部分は、拘束部１６，１７により上下方向位置への移動が規制されている。
【００３０】
締め付け機構１９は、アッパー部１３が履き手の足首にフィットするようアッパー部１３を締め付けるための機構であり、メインストラップ３１と、２本のサブストラップ３７，３８とを含んでいる。
メインストラップ３１は、アッパー部１３の上下方向中間部分に配置される帯状部材であり、互いに一体に形成された第１固定部３２，１対の可動部３３及び第２固定部３４を有している。
【００３１】
第１固定部３２は、両側方部２３の水平方向中央部の間を後方部２１を経由して延びる部分であり、アッパー部１３に縫い付けられている。
１対の可動部３３は、第１固定部３２の両端部から第２固定部３４にかけてそれぞれ延びる部分である。より具体的には、可動部３３はそれぞれ、第１固定部３２の端部から側方部２３の表面に沿って前方に延び、前端部２４より僅かに後方位置で後方に折り返されて後方に斜め下方に延びるとともに、後方部２１の表面に沿って逆側の側方部２３の下方部分まで先端部３３ｂが延びて配置されている。可動部３３は、前端部２４の後方において、靴紐２０等の紐状部材が挿通可能な挿通部３３ａが形成されるよう折り返されている。この可動部３３は、アッパー部１３には縫い付けられておらず、アッパー部１３に対し相対移動可能である。
【００３２】
第２固定部３４は、可動部３３の先端部３３ｂからソール部１１にかけて延びる部分であり、その先端部分がソール部１１に固定されている。また、第２固定部３４は、メインストラップ３１の下方に配置されたサブストラップ３８により、ソール部１１の近傍に重ねて縫い付けられることでアッパー部１３に対し相対移動不能に拘束されている。
【００３３】
サブストラップ３７，３８は、メインストラップ３１と同様の帯状部材であり、サブストラップ３７はメインストラップ３１の上方に、サブストラップ３８はメインストラップ３１の下方にそれぞれ配置されている。
サブストラップ３７は、後方部２１から両側方部２３の表面に沿って前方に延び前端部２４から僅かに後方位置で折り返されて後方に斜め下方に後方部２１まで延びて配置されている。サブストラップ３７の折り返された部分では、靴紐２等が挿通可能な挿通部３７ａが形成されている。このサブストラップ３７は、挿通部３７ａが形成された部分を除く全ての部分がアッパー部１３に縫い付けられている。
【００３４】
サブストラップ３８は、ソール部１１の後方部分の両側から側方部２３の表面に沿って前方に斜め上方に延びて、前端部２４から僅かに後方位置で折り返されて下方にソール部１１の前後方向中間部分まで延びて配置されている。サブストラップ３８の折り返された部分では、靴紐２０等が挿通可能な挿通部３８ａが形成されている。サブストラップ３８は、サブストラップ３７と同様、挿通部３８ａが形成された部分を除く全ての部分がアッパー部１３に縫い付けられている。
【００３５】
このように構成されたブーツライナー１を履き手の足にフィットさせる場合は、予め、図１に示されるように、靴紐２０を挿通部３８ａ，３７ａ，３３ａに順に挿通しておく。そして、この状態で、ブーツライナー１内に足を挿入し、アッパー部１３の前端部２４同士が接近するよう靴紐２０を引っ張る。すると、アッパー部１３の上方及び下方部分では、挿通部３７ａ，３８ａを介してサブストラップ３７，３８が前方に引っ張られることで、アッパー部１３は、対向する前端部２４が互いに接近するよう変形し、履き手に対し一定のフィット感を与える。
【００３６】
一方、アッパー部１３の上下方向中間部分では、メインストラップ３１の折り返された位置が前方に移動して、挿通部３３ａは、締め付け作業を行う前よりも前方に移動する。このとき、可動部３３の挿通部３３ａから後方に延びる部分は、挿通部３３ａ側に引っ張られ、アッパー部１３の後方部分を変形させる。
アッパー部１３は、このように変形することにより、履き手の足の踝付近に強く押し付けられ、履き手は、アッパー部１３の足首へのフィット感をより強く感じることができる。
【００３７】
特に、このブーツライナー１では、１対の可動部３３がアッパー部１３の後方で交差していることから、アッパー部１３の後方部分は、より強く履き手の足首に押し付けられ、これにより、十分なフィット感が得られる。
［他の実施形態］
（ａ）ブーツライナーは、スノーボードのインナーブーツライナーとしてのみでなく、スキーブーツ、ハイキングブーツのようにアウターブーツ（表面部分が硬質材料で構成されたアウターシェルを含む）を有する他のフットウェア製品にも適用可能である。
【００３８】
（ｂ）サブストラップの数、配置位置等は、必要に応じて変更可能である。
【００３９】
【発明の効果】
本発明によれば、アッパー部は、可動部を有する主ストラップ部材により履き手の足首に強く押し付けられるため、履き手は、単に前端部同士が接近するようアッパー部が変形する場合に比べ、アッパー部の足首へのフィット感をより強く感じることができる。
【図面の簡単な説明】
【図１】本発明の一実施形態が採用されたブーツライナーを示す側面図。
【図２】前記ブーツライナーを示す背面図。
【図３】前記ブーツライナーを示す上面図。
【符号の説明】
１  ブーツライナー
３  アウターブーツ
５  スノーボードブーツ
１１  ソール部
１３  アッパー部
１５  後方支持部
１６，１７  拘束部
１８  解放部
１９  締め付け機構
２０  靴紐
２１  後方部
２３  側方部
２５  前方部
２６  スロット
２７  舌部
３１  メインストラップ
３２  第１固定部
３３  可動部
３３ａ  挿通部
３３ｂ  先端部
３４  第２固定部
３７，３８  サブストラップ
３７ａ，３８ａ  挿通部
【図１】
2004236971.tif 000003
【図２】
2004236971.tif 000004
【図３】
2004236971.tif 000005